(57)【要約】【課題】ネットワークシステム、制御機器、被制御機器および被制御機器制御方法を提供することにある。【解決手段】制御機器は、利用者が複数の被制御機器のうちの所望の一つを選択被制御機器として選択するとともに該選択被制御機器に関連する所望の動作内容および条件を入力する入力部と、選択被制御機器に割り当てられた機器アドレスと、所望の動作内容を示す動作指示内容データと、所望の条件を示す動作可能条件データとを含む動作指示信号を生成する信号生成部と、動作指示信号を送信する第１のネットワーク通信部とを含み、被制御機器のそれぞれは自身の現在の状態が登録された機器状態テーブルと、動作指示信号を受信する第２のネットワーク通信部と、機器状態テーブルに登録された現在の状態が動作指示信号に含まれる動作可能条件データで示される条件を満足するときには動作指示内容データの動作内容を関連回路部分に指示する信号解析部とを含む。【選択図】      図１
2015089064.tif 000002
【特許請求の範囲】
【請求項１】
それぞれ固有の機器アドレスが割り当てられた複数の被制御機器と、
制御機器と、
該制御機器と前記被制御機器との間で通信を行うためのネットワークと
から構成され、
前記制御機器は、
利用者が、前記複数の被制御機器のうちの所望の一つを選択被制御機器として選択するとともに、該選択被制御機器に関連する所望の動作内容および所望の条件を入力するための入力部と、
前記選択被制御機器に割り当てられた前記機器アドレスと、前記所望の動作内容を示す動作指示内容データと、前記所望の条件を示す動作可能条件データとを含む動作指示信号を生成する信号生成部と、
前記ネットワークに前記動作指示信号を送信する第１のネットワーク通信部と
を含み、
前記複数の被制御機器のそれぞれは、
自身の現在の状態が登録された機器状態テーブルと、
前記ネットワークから前記動作指示信号を受信し、該動作指示信号に含まれる前記機器アドレスが自身に割り当てられた前記機器アドレスと一致するか否かを検出する第２のネットワーク通信部と、
前記第２のネットワーク通信部が前記機器アドレスの一致を検出した場合、前記機器状態テーブルに登録された前記現在の状態が、前記動作指示信号に含まれる前記動作可能条件データで示される前記所望の条件を満足するか否かを判断し、前記所望の条件を満足するときには、前記動作指示信号に含まれる前記動作指示内容データで示される前記所望の動作内容に対応する動作の実行を関連回路部分に指示する信号解析部と
を含む
ことを特徴とするネットワークシステム。
【請求項２】
前記動作指示信号は、前記制御機器に割り当てられた機器アドレスを含み、
前記信号解析部が、前記所望の条件を満足しないと判断した場合には、
前記第２のネットワーク通信部は、前記制御機器に割り当てられた前記機器アドレスと、前記所望の条件を満足しなかった旨の応答情報とを含む応答信号を前記第２のネットワーク通信部から前記ネットワークに送信し、
前記制御機器は、前記ネットワークから前記応答信号を受信し、該応答信号に含まれる前記機器アドレスが自身に割り当てられた機器アドレスと一致するか否かを検出し、該機器アドレスの一致を検出したときには、該応答信号に含まれる応答情報を表示部に表示する
ことを特徴とする請求項１記載のネットワークシステム。
【請求項３】
各前記被制御機器は、前記制御機器に割り当てられた機器アドレスを予め記憶しており、
前記信号解析部が、前記所望の条件を満足しないと判断した場合には、
前記第２のネットワーク通信部は、前記制御機器に割り当てられた前記機器アドレスと、
前記所望の条件を満足しなかった旨の応答情報とを含む応答信号を前記第２のネットワーク通信部から前記ネットワークに送信し、
前記制御機器は、前記ネットワークから前記応答信号を受信し、該応答信号に含まれる前記機器アドレスが自身に割り当てられた機器アドレスと一致するか否かを検出し、該機器アドレスの一致を検出したときには、該応答信号に含まれる応答情報を表示部に表示する
ことを特徴とする請求項１記載のネットワークシステム。
【請求項４】
利用者が、それぞれ固有の機器アドレスを割り当てられた複数の被制御機器のうちの所望の一つを選択被制御機器として選択するとともに、該選択被制御機器の状態が所望の条件を満足した場合にのみ該選択被制御機器に所望の動作を実行させるために、該所望の条件と該所望の動作の内容とを入力するための入力部と、
前記選択被制御機器に割り当てられた前記機器アドレスと、前記所望の動作の内容を示す動作指示内容データと、前記所望の条件を示す動作可能条件データとを含む動作指示信号を生成する信号生成部と、
前記複数の被制御機器と接続されたネットワークに前記動作指示信号を送信するネットワーク通信部と
を含むことを特徴とする制御機器。
【請求項５】
自身の現在の状態が登録された機器状態テーブルと、
ネットワークを介して制御機器から動作指示信号を受信し、該動作指示信号に含まれる機器アドレスが自身に割り当てられた機器アドレスと一致するか否かを検出するネットワーク通信部と、
ネットワーク通信部が前記機器アドレスの一致を検出した場合、前記機器状態テーブルに登録された前記現在の状態が、前記動作指示信号に含まれる動作可能条件データで示される条件を満足するか否かを判断し、前記条件を満足するときには、前記動作指示信号に含まれる動作指示内容データで示される動作内容に対応する動作の実行を関連回路部分に指示する信号解析部と
を含むことを特徴とする被制御機器。
【請求項６】
それぞれ固有の機器アドレスが割り当てられた複数の被制御機器のうちから利用者が選択した該被制御機器である選択被制御機器に割り当てられた該機器アドレスと、該選択被制御機器に関連する動作内容を示す動作指示内容データと、該選択被制御機器に関連する条件を示す動作可能条件データとを含む動作指示信号を生成する信号生成ステップと、
通信ネットワークに前記動作指示信号を制御機器から送信する第１の送信ステップと、
前記動作指示信号に含まれる前記機器アドレスが割り当てられた前記選択被制御機器が前記通信ネットワークから前記動作指示信号を受信する受信ステップと、
前記選択被制御機器の現在の状態が登録された機器状態テーブルに登録された該現在の状態が、前記動作指示信号に含まれる前記動作可能条件データで示される前記条件を満足するか否かを判断し、前記条件を満足するときには、前記動作指示信号に含まれる前記動作指示内容データで示される前記動作内容に対応する動作の実行を前記選択被制御機器内の関連回路部分に指示する動作実行指示ステップと
を含むことを特徴とする被制御機器制御方法。
【請求項７】
前記動作指示信号は、前記制御機器に割り当てられた機器アドレスを含み、
前記動作実行指示ステップにおいて、前記条件を満足しないと判断された場合には、
前記選択被制御機器が、前記制御機器に割り当てられた前記機器アドレスと、前記条件を満足しなかった旨の応答情報とを含む応答信号を前記通信ネットワークに送信する第２の送信ステップと、
前記応答信号に含まれる前記機器アドレスを割り当てられた前記制御機器が、前記通信ネットワークから前記応答信号を受信し、該応答信号に含まれる応答情報を前記制御機器に設けられた表示部に表示する表示ステップと
を含むことを特徴とする請求項６記載の被制御機器制御方法。
【請求項８】
各前記被制御機器は、前記制御機器に割り当てられた機器アドレスを予め記憶しており、
前記動作実行指示ステップにおいて、前記条件を満足しないと判断された場合には、
前記選択被制御機器が、前記制御機器に割り当てられた前記機器アドレスと、前記条件を満足しなかった旨の応答情報とを含む応答信号を前記通信ネットワークに送信する第２の送信ステップと、
前記応答信号に含まれる前記機器アドレスを割り当てられた前記制御機器が、前記通信ネットワークから前記応答信号を受信し、該応答信号に含まれる応答情報を前記制御機器に設けられた表示部に表示する表示ステップと
を含むことを特徴とする請求項６記載の被制御機器制御方法。
【請求項９】
それぞれ固有の機器アドレスが割り当てられた複数の被制御機器のうちから利用者が選択した該被制御機器である選択被制御機器に割り当てられた該機器アドレスと、該選択被制御機器の状態が指定の条件を満足した場合にのみ該選択被制御機器に指定の動作を実行させるために使用される前記指定の条件および前記指定の動作の内容を示すデータとを含む動作指示信号を生成する信号生成ステップと、
通信ネットワークに前記動作指示信号を制御機器から送信する送信ステップと
を含むことを特徴とする被制御機器制御方法。
【請求項１０】
動作指示信号に含まれる機器アドレスが割り当てられた被制御機器が通信ネットワークから前記動作指示信号を受信する受信ステップと、
当該被制御機器の現在の状態が登録された機器状態テーブルに登録された該現在の状態が、前記動作指示信号に含まれる前記動作可能条件データで示される条件を満足するか否かを判断し、前記条件を満足するときには、前記動作指示信号に含まれる動作指示内容データで示される動作内容に対応する動作の実行を当該被制御機器内の関連回路部分に指示する動作実行指示ステップと
を含むことを特徴とする被制御機器制御方法。
【発明の詳細な説明】
【技術分野】
【０００１】
本発明は、ネットワークシステム、制御機器、被制御機器および被制御機器制御方法に関する。
【背景技術】
【０００２】
家電機器（例えば、テレビ、エアコン、照明器具、火災センサおよび冷蔵庫）等の複数の被制御機器と、該複数の被制御機器の動作等を制御する制御機器とがＬＡＮ（ローカルエリアネットワーク）等の通信ネットワークを介して相互に接続されたネットワークステムが知られている。
【０００３】
このようなネットワークシステムにおいて、制御機器が、ある被制御機器に対して、ある所望の動作の実行を指示するための動作指示信号を送信する場合には、該動作指示信号を送信する前に、その被制御機器が当該動作の実行が可能な状態にあるか否かを確認する必要がある。
【０００４】
そのために、制御機器は、上記動作指示信号を送信する前に、当該被制御機器に状態要求信号を送信し、該状態要求信号の受信に応答して、当該被制御機器は自身の状態を示す機器状態信号を制御機器に返信する。
【０００５】
制御機器は、受信した機器状態信号の内容に基づき、当該被制御機器が上記所望の動作の実行が可能な状態にあるか否かを判断し、上記所望の動作の実行が可能な状態にあると判断された場合にのみ、上記動作指示信号を当該被制御機器に送信する。
【０００６】
こうして上記動作指示信号を受信した被制御機器は、上記動作指示信号により指示される動作を行う。
【０００７】
尚、関連技術として、特許文献１には、家庭内ネットワーク１０を介して接続された複数の家電機器１２ａ乃至１２ｅを制御する通信制御装置１４において、家電機器の製造メーカ名や型番などの製品情報を該家電機器のアドレス情報と対応付けて記憶するための製品情報テーブル２０と、家電機器の状態変化に対して連動動作を実行するための条件及び連動動作内容を家電機器の製品情報と対応付けて記憶するための連動動作テーブル２２とを設け、家電機器から状態変化に関するパケットを受信したときに、該パケットに含まれる、当該パケットを送信した家電機器の、アドレス情報に基づき製品情報テーブル２０から当該家電機器の製品情報を検索し、検索した製品情報に基づき連動動作テーブル２２を参照して連動動作を実行するための条件を満たしているか否かを判定して、条件を満たしている場合に、連動動作テーブル２２に登録されている連動動作内容を実行する技術が開示されている。
【０００８】
また、特許文献２には、家庭内ネットワーク規格に準拠していない電気機器１０６が接続された、家庭内ネットワーク規格に準拠した、アダプタ１０２において、予め機器オブジェクト記憶部１３１に記憶されたオブジェクト構成情報と、アダプタ１０２に接続された電気機器１０６のオブジェクト構成情報とが一致した場合に、電気機器１０６を家庭内ネットワーク１１０に接続可能とする技術が開示されている。
【０００９】
また、特許文献３には、サブネットワーク１４３または１５３に新たな装置が加わった場合でも、使用者がメインのネットワーク（ＩＰネットワーク１００）の通信装置等に、当該新たな装置の機器リストや機能情報を登録することなく、ＩＰネットワーク１００から当該新たな装置を制御できるようにする技術が開示されている。
【先行技術文献】
【特許文献】
【００１０】
【特許文献１】特開２００８−０２８４７７号公報
【特許文献２】特開２００９−２２５４８１号公報
【特許文献３】特開２００７−３２８７９９号公報
【発明の概要】
【発明が解決しようとする課題】
【００１１】
しかしながら、上述したネットワークシステムでは、制御機器が動作指示信号を送信する前に、状態要求信号および機器状態信号の送受信動作が必要となり、その結果、これらの信号の送受信による通信ネットワークのトラフィックの増大や被制御機器への所望の動作の実行指示の遅延等を招くという問題点がある。
【００１２】
なお、特許文献１乃至３のいずれにも、被制御機器に対して、制御機器から所望の動作の実行を指示する場合に、当該被制御機器が当該所望の動作を実行できる状態であるか否かを判断するための技術については一切記載されていない。
【００１３】
本発明の目的は、上述した問題点を解決したネットワークシステム、制御機器、被制御機器および被制御機器制御方法を提供することにある。
【課題を解決するための手段】
【００１４】
本発明のネットワークシステムシステムは、
それぞれ固有の機器アドレスが割り当てられた複数の被制御機器と、
制御機器と、
該制御機器と前記被制御機器との間で通信を行うためのネットワークと
から構成され、
前記制御機器は、
利用者が、前記複数の被制御機器のうちの所望の一つを選択被制御機器として選択するとともに、該選択被制御機器に関連する所望の動作内容および所望の条件を入力するための入力部と、
前記選択被制御機器に割り当てられた前記機器アドレスと、前記所望の動作内容を示す動作指示内容データと、前記所望の条件を示す動作可能条件データとを含む動作指示信号を生成する信号生成部と、
前記ネットワークに前記動作指示信号を送信する第１のネットワーク通信部と、
を含み、
前記複数の被制御機器のそれぞれは、
自身の現在の状態が登録された機器状態テーブルと、
前記ネットワークから前記動作指示信号を受信し、該動作指示信号に含まれる前記機器アドレスが自身に割り当てられた前記機器アドレスと一致するか否かを検出する第２のネットワーク通信部と、
前記第２のネットワーク通信部が前記機器アドレスの一致を検出した場合、前記機器状態テーブルに登録された前記現在の状態が、前記動作指示信号に含まれる前記動作可能条件データで示される前記所望の条件を満足するか否かを判断し、前記所望の条件を満足するときには、前記動作指示信号に含まれる前記動作指示内容データで示される前記所望の動作内容に対応する動作の実行を関連回路部分に指示する信号解析部と
を含む。
【００１５】
本発明の制御機器は、
利用者が、それぞれ固有の機器アドレスを割り当てられた複数の被制御機器のうちの所望の一つを選択被制御機器として選択するとともに、該選択被制御機器の状態が所望の条件を満足した場合にのみ該選択被制御機器に所望の動作を実行させるために、該所望の条件と該所望の動作の内容とを入力するための入力部と、
前記選択被制御機器に割り当てられた前記機器アドレスと、前記所望の動作の内容を示す動作指示内容データと、前記所望の条件を示す動作可能条件データとを含む動作指示信号を生成する信号生成部と、
前記複数の被制御機器と接続されたネットワークに前記動作指示信号を送信するネットワーク通信部と
を含む。
【００１６】
本発明の被制御機器は、
自身の現在の状態が登録された機器状態テーブルと、
ネットワークを介して制御機器から動作指示信号を受信し、該動作指示信号に含まれる機器アドレスが自身に割り当てられた機器アドレスと一致するか否かを検出するネットワーク通信部と、
ネットワーク通信部が前記機器アドレスの一致を検出した場合、前記機器状態テーブルに登録された前記現在の状態が、前記動作指示信号に含まれる動作可能条件データで示される条件を満足するか否かを判断し、前記条件を満足するときには、前記動作指示信号に含まれる動作指示内容データで示される動作内容に対応する動作の実行を関連回路部分に指示する信号解析部と
を含む。
【００１７】
本発明の第１の被制御機器制御方法は、
それぞれ固有の機器アドレスが割り当てられた複数の被制御機器のうちから利用者が選択した該被制御機器である選択被制御機器に割り当てられた該機器アドレスと、該選択被制御機器に関連する動作内容を示す動作指示内容データと、該選択被制御機器に関連する条件を示す動作可能条件データとを含む動作指示信号を生成する信号生成ステップと、
通信ネットワークに前記動作指示信号を制御機器から送信する第１の送信ステップと、
前記動作指示信号に含まれる前記機器アドレスが割り当てられた前記選択被制御機器が前記通信ネットワークから前記動作指示信号を受信する受信ステップと、
前記選択被制御機器の現在の状態が登録された機器状態テーブルに登録された該現在の状態が、前記動作指示信号に含まれる前記動作可能条件データで示される前記条件を満足するか否かを判断し、前記条件を満足するときには、前記動作指示信号に含まれる前記動作指示内容データで示される前記動作内容に対応する動作の実行を前記選択被制御機器内の関連回路部分に指示する動作実行指示ステップと
を含む。
【００１８】
本発明の第２の被制御機器制御方法は、
それぞれ固有の機器アドレスが割り当てられた複数の被制御機器のうちから利用者が選択した該被制御機器である選択被制御機器に割り当てられた該機器アドレスと、該選択被制御機器の状態が指定の条件を満足した場合にのみ該選択被制御機器に指定の動作を実行させるために使用される前記指定の条件および前記指定の動作の内容を示すデータとを含む動作指示信号を生成する信号生成ステップと、
通信ネットワークに前記動作指示信号を制御機器から送信する送信ステップと
を含む。
【００１９】
本発明の第３の被制御機器制御方法は、
動作指示信号に含まれる機器アドレスが割り当てられた被制御機器が通信ネットワークから前記動作指示信号を受信する受信ステップと、
当該被制御機器の現在の状態が登録された機器状態テーブルに登録された該現在の状態が、前記動作指示信号に含まれる前記動作可能条件データで示される条件を満足するか否かを判断し、前記条件を満足するときには、前記動作指示信号に含まれる動作指示内容データで示される動作内容に対応する動作の実行を当該被制御機器内の関連回路部分に指示する動作実行指示ステップと
を含む。
【発明の効果】
【００２０】
本発明には、通信ネットワークを介して制御機器と通信を行う被制御機器の状態が所望の条件を満たしている場合にのみ該被制御機器に所望の動作を行わせるときにおける該通信ネットワークのトラフィックの低減および該被制御機器への所望の動作の実行指示の迅速化を達成できるという効果がある。
【図面の簡単な説明】
【００２１】
【図１】本発明の実施形態を示すブロック図である。
【図２】本発明の実施形態における被制御機器の現在の状態を記憶した機器状態テーブルの内容を示す図である。
【図３】本発明の実施形態における制御機器が、動作指示信号を被制御機器に送信する場合の処理の流れを示すフローチャートである。
【図４】本発明の実施形態における制御機器から、利用者が被制御機器に対して機器選択や動作可能条件および動作指示内容の各データを入力する際の、表示部および入力部の様子を表す図である。
【図５】本発明の実施形態における制御機器からの動作指示信号を受け取って、被制御機器自身に動作指示内容を設定する処理の流れを表すフローチャートである。
【図６】本発明の実施形態における異常発生状態が有の場合の、被制御機器の現在の状態を記憶した機器状態テーブルの内容を示す図である。
【発明を実施するための形態】
【００２２】
次に、本発明の実施形態について図面を参照して詳細に説明する。
【００２３】
図１は、本発明の実施形態を示すブロック図である。
【００２４】
図１を参照すると、本実施形態に係るネットワークシステムは、制御機器１０１と、それぞれ固有の機器アドレスが割り当てられた複数の被制御機器２０１、３０１、４０１および５０１と、無線または有線通信ネットワーク１０９とから構成される。
【００２５】
制御機器１０１は、表示部１０２と、入力部１０３と、信号生成部１０４と、信号解析部１０５と、ネットワーク通信部１０８とを含む。制御機器１０１は、専用機器ではなく、例えば、パーソナルコンピュータ、タブレット端末、携帯電話またはスマートフォン等であってもよい。
【００２６】
また、被制御機器２０１は、機器状態テーブル２０２と、信号生成部２０４と、信号解析部２０５と、ネットワーク通信部２０８とを含む。なお、図示していないが、被制御機器３０１、被制御機器４０１および被制御機器５０１も同様に機器状態テーブルと、信号解析部と、ネットワーク通信部とを含む。
【００２７】
また、被制御機器２０１、３０１、４０１および５０１は、例えば、エアコン、照明器具、テレビおよび空気清浄器等の電気機器である。
【００２８】
さらに、被制御機器２０１、３０１、４０１および５０１は、上述した機器状態テーブル、信号解析部およびネットワーク通信部以外に、当然、当該被制御機器本来の機能を実現する構成要素（図示せず）も含む。
【００２９】
ネットワーク１０９は、制御機器１０１のネットワーク通信部１０８と、被制御機器２０１、３０１、４０１および５０１のそれぞれのネットワーク通信部との間で通信を行うために使用される。
【００３０】
次に、本実施形態の動作について図１乃至図５を参照して説明する。
【００３１】
なお、以下では、被制御機器２０１が２つのエアコン（１）および（２）のうちのエアコン（１）である場合を例に説明する。
【００３２】
図２は、被制御機器２０１の現在の状態を記憶した機器状態テーブル２０２の内容を示す図である。
【００３３】
図２を参照すると、機器状態テーブル２０２は、「項目」欄と、「現在の状態」欄とから構成されている。
【００３４】
「項目」欄には、「動作状態」、「異常発生状態」および「室温」という項目名が登録されており、「現在の状態」欄には、それぞれこれらの項目名「動作状態」、「異常発生状態」および「室温」に対応して「非動作中」、「無」および「３０度」が登録されている。
【００３５】
次に、図３を用いて、利用者が、制御機器１０１を介して、被制御機器２０１を制御する場合について説明する。
【００３６】
図３は、制御機器１０１が、動作指示信号を被制御機器２０１（エアコン（１））に送信する場合の処理の流れを示すフローチャートである。
【００３７】
まず、利用者は、以下で説明するように、「機器選択」ボタンの選択と、「動作可能条件」および「動作指示内容」の各項目の入力を行う（ステップＳ５１）。
【００３８】
すなわち、まず、利用者は，制御機器１０１の表示部１０２に表示された図４に示す表示画面の「機器選択」領域に表示されている「エアコン（１）」と表示された「機器選択」ボタンを選択する。
【００３９】
ここで、表示部１０２の表示画面には、図４に示すように、当初、「機器選択」領域に、動作指示の対象となる各被制御機器の名称（例えば、エアコン（１）および（２）、照明（１）および（２）、テレビおよび空気清浄器等）が示された「機器選択」ボタンと、動作指示信号の送信を指示するための「送信」ボタンとが表示されている。
【００４０】
これらのボタンの選択は、制御機器１０１がパーソナルコンピュータであり、入力部１０３がマウスであるとすれば、マウスを操作して表示部１０２の表示画面上でカーソルを所望のボタンの位置に移動させ、マウスでクリック操作をすることにより行われる。また、表示部１０２が入力部１０３を含むタッチパネル方式の表示装置である場合には、利用者の指等で、表示部１０２の表示画面に表示されている所望のボタンに触れることにより選択が行われる。ここで説明したボタンの選択は、一例であり、これらに限定されるものではない。
【００４１】
こうして、「エアコン（１）」と表示された「機器選択」ボタンを選択すると、図４に示すように、表示部１０２の表示画面の「動作指示入力」領域に、その選択された「機器選択」ボタン（すなわち、そのボタンに対応する被制御機器（「選択被制御機器」とも言う。））に対応する「動作可能条件」および「動作指示内容」として入力すべき項目が表示される。
【００４２】
図４では、「動作可能条件」として入力すべき項目は、「異常発生：」、「動作状態：」および「室温：」であり、また、「動作指示内容」として入力すべき項目、「動作状態：」、「運転モード：」および「設定温度：」である。そして、利用者は、「動作可能条件」の項目「異常発生：」、「動作状態：」および「室温：」として、それぞれ「無」、「非動作中」および「２８度以上」を、「動作指示内容」の項目「動作状態：」、「運転モード：」および「設定温度：」として、それぞれ「起動」、「冷房」および「２５度」を入力したとする。
【００４３】
なお、これらの項目への入力方法としては、例えば、これの項目を上述したボタンの選択と同様な方法で選択した時に表示されるプルダウンメニューから選択したり、マウスとキーボードとを利用して直接入力したり等の種々の方法の採用が可能である。
【００４４】
次に、こうして利用者により入力された「動作可能条件」および「動作指示内容」の各項目の内容は、信号生成部１０４に渡され、信号生成部１０４は、渡された「動作可能条件」および「動作指示内容」の各項目の内容に基づき、動作可能条件データと動作指示内容データと被制御機器２０１（エアコン（１））の機器アドレスとを含む動作指示信号を生成する（ステップＳ５２）。
【００４５】
ここで、動作可能条件データは、「異常発生は無」、「動作状態は非動作中」および「室温は２８度以上」という条件項目を示す情報からなり、動作指示内容データは、「動作状態は起動」、「運転モードは冷房」および「設定温度は２５度」を示す情報からなる。
【００４６】
次に、利用者が表示部１０２の表示画面に表示された「送信」ボタンを上述した方法と同様の方法で選択すると、ステップ５２で生成された動作指示信号は、制御機器１０１のネットワーク通信部１０８からネットワーク１０９に送信される（ステップＳ５３）。
【００４７】
次に、図５を参照して、被制御機器２０１の動作について説明する。
【００４８】
被制御機器２０１（エアコン（１））のネットワーク通信部２０８は、ネットワーク１０９から上記動作指示信号を受信し、この信号に含まれる機器アドレスが自身（被制御機器２０１）に割り当てられた機器アドレスと一致するため、該動作指示信号を取り込む（ステップＳ７１）。
【００４９】
被制御機器２０１（エアコン（１））の信号解析部２０５は、該動作指示信号の内容を解析し（ステップＳ７２）、該動作指示信号に含まれる動作可能条件データを取得する（ステップＳ７３）。
【００５０】
信号解析部２０５は、ステップＳ７３で取得した動作可能条件データが示す条件情報を解析し、満足すべき条件が、項目「動作状態」、「異常発生状態」および「室温」がそれぞれ「非動作中」、「無」および「２８度以上」であることを認識し、被制御機器２０１（エアコン（１））の状態がこれらの条件項目を全て満足するかを、図２に示す機器状態テーブル２０２を参照することにより確認する（ステップＳ７４）。
【００５１】
具体的には、項目「動作状態」はいずれも「非動作中」で条件を満足しており、項目「異常発生状態」はいずれも「非動作中」で条件を満足しており、項目「室温」に関する条件は「２８度以上」であり、機器状態テーブル２０２に登録された「室温」は２８度以上の「３０度」であるためこれも条件を満足している。すなわち、被制御機器２０１（エアコン（１））の状態は、動作可能条件データが示す全ての条件項目を満足している。
【００５２】
被制御機器２０１（エアコン（１））の信号解析部２０５は、ステップＳ７４において、全ての条件項目が満足された場合（ステップＳ７４にてＹＥＳ。）にのみ、動作指示信号に含まれる動作指示内容データにより示される動作を行うよう被制御機器２０１（エアコン（１））内の関連回路部分に指示する（ステップＳ７５）。
【００５３】
具体的には、被制御機器２０１（エアコン（１））の信号解析部２０５は、動作指示内容データを解析し、動作指示内容データが「動作状態は起動」、「運転モードは冷房」および「設定温度は２５度」を示していることを認識し、２５度の設定温度で冷房運転を開始するよう被制御機器２０１（エアコン（１））の関連回路部分に指示する。
【００５４】
一方、ステップＳ７４において、状態機器テーブル２０２の内容が、図６に示すように、項目「動作状態」、「異常発生状態」および「室温」に対応して「非動作中」、「有」および「３０度」が登録されている場合には、動作可能条件データが示す条件情報の解析結果から得られる満足すべき条件項目のうちの項目「異常発生状態」に対する条件が「無」であるのに対して、状態機器テーブル２０２においては、「項目」欄の項目「異常発生状態」に対応して「現在の状態」欄に「有」が登録されており、この条件項目を満足しない（ステップＳ７４にてＮＯ）。
【００５５】
そのため、信号生成部２０４は、指示された動作が実行できなかったことを示す応答情報を生成し、ネットワーク通信部２０８に渡す（ステップＳ７６）。
【００５６】
ネットワーク通信部２０８は、信号生成部２０４が生成した応答情報を受け取り、該応答情報に、制御機器１０１の機器アドレス（各被制御機器は制御機器１０１の機器アドレスを予め記憶しているものとする。）を付加した応答信号をネットワーク１０９に送信する（ステップＳ７７）。
【００５７】
尚、それぞれ固有の機器アドレスが割り当てられた複数の制御機器が存在する場合には、各制御機器は、動作指示信号を送信する際に、該動作指示信号に、自身の機器アドレスも付加して送信し、自身の機器アドレスを含む動作指示信号を受信した被制御機器は、該動作指示信号に含まれる制御機器の機器アドレスを取得し、この取得した機器アドレスを応答情報に付加した応答信号をネットワーク１０９に送信する。
【００５８】
制御機器の１０１のネットワーク通信部１０８は、該応答信号を受信し、該応答信号に含まれる機器アドレスが自身に割り当てられた機器アドレスと一致することを検出し、該応答信号を信号解析部１０５に渡す。信号解析部１０５は該応答信号内の応答情報を解析し、応答情報の内容を表示部１０２の表示画面に表示させ、利用者は、指示した動作が実行されなかったことを知ることができる。
【００５９】
なお、上記応答情報には、いずれの条件が満足されなかったために指示した動作が実行されなかったかを示す情報を含めてもよい。
【００６０】
以上、本実施形態には、通信ネットワークを介して制御機器と通信を行う被制御機器の状態が所望の条件を満たしている場合にのみ該被制御機器に所望の動作を行わせるときにおける該通信ネットワークのトラフィックの低減および該被制御機器への所望の動作の実行指示の迅速化を達成できるという効果がある。
【００６１】
その理由は、被制御機器の状態が所望の条件を満たしている否かを該被制御機器に事前に確認するための信号の授受を制御装置と該被制御装置との間で行わずに、該制御機器から、該被制御機器へ、所望の条件を示す動作可能条件データと該所望の動作を指示する動作指示内容データとを含む動作指示信号のみを送信するだけで、該被制御機器が、該動作可能条件データに基づき、自身が該所望の動作を実行可能か否かを判断し、実行可能であれば該所望の動作を実行するようにしたからである。
【符号の説明】
【００６２】
１０１    制御機器
１０２    表示部
１０３    入力部
１０４    信号生成部
１０５    信号解析部
１０８    ネットワーク通信部
１０９    ネットワーク
２０１    被制御機器
２０２    機器状態テーブル
２０４    信号生成部
２０５    信号解析部
２０８    ネットワーク通信部
３０１    被制御機器
４０１    被制御機器
５０１    被制御機器
【図１】
2015089064.tif 000003
【図２】
2015089064.tif 000004
【図３】
2015089064.tif 000005
【図４】
2015089064.tif 000006
【図５】
2015089064.tif 000007
【図６】
2015089064.tif 000008